(57)【要約】【課題】遊技機に中継基板用の保持部を予め形成しておかなくても、新たに設ける必要が生じた中継基板を容易に取付け得るようにする。【解決手段】配線を所定位置で保持する第１の配線留め４０が中枠１２に設けられている。パチンコ機の仕様変更により、新たに接触検出装置を設けるに際し、第１の配線留め４０と係合可能な第１の係合部５９,５９を有する基板ホルダ５２に、接触検出装置に接続する配線および主制御装置に接続されている配線を接続する第２の中継基板５１を保持する。そして、第１の係合部５９,５９を介して第１の配線留め４０に基板ホルダ５２を装着することで、第２の中継基板５１を中枠１２に取付けるようにした。【選択図】図６
2005224533.tif 000002
【特許請求の範囲】
【請求項１】
夫々の電気部品に接続する配線を相互に中継接続する中継基板を備え、前記配線を所定位置で保持する配線留めを設けた遊技機において、
前記中継基板を保持可能で、所要部位に前記配線留めと係合可能な係合部を有する基板ホルダを設け、
前記係合部を介して前記基板ホルダを前記配線留めに装着することで、前記中継基板を遊技機に取付けるようにした
ことを特徴とする遊技機における中継基板の取付構造。
【請求項２】
前記係合部は、弾性変形可能なフック状に形成されて、前記基板ホルダを配線留めに装着した際に、前記係合部が露出した状態で配線留めと係合し、該係合部を弾性変形させることで係合を解除し得るようになっている請求項１記載の遊技機における中継基板の取付構造。
【請求項３】
前記配線留めは、配線挿入用の開口部を有し、前記基板ホルダは、前記開口部に挿脱自在な挿入突部を備え、
前記挿入突部を前記開口部に挿入したもとで、前記係合部を配線留めと係合させるようにした請求項１または２記載の遊技機における中継基板の取付構造。
【請求項４】
前記基板ホルダに第２の配線留めを設けた請求項１〜３の何れかに記載の遊技機における中継基板の取付構造。
【発明の詳細な説明】
【技術分野】
【０００１】
本発明は、電気部品に接続した配線と別の電気部品に接続した配線とを電気的に接続する遊技機における中継基板の取付構造に関するものである。
【背景技術】
【０００２】
代表的な遊技機であるパチンコ機は、外郭をなす外枠に対し、着脱および開閉可能に中枠が組み付けられると共に、該中枠に開設した保持部を介して所要の遊技領域を画成した遊技盤が保持されている。また、前記中枠の前側には、ガラス板を備えた前枠が開閉自在に枢支され、該前枠を中枠に対して閉成した際に、該ガラス板を介して前記遊技盤を前側から視認し得るよう構成される。更に、前記中枠における前記前枠の下方位置には、遊技媒体としてのパチンコ球を貯留し得る上球皿が開閉自在に組み付けられ、該上球皿の下方位置に下球皿が組み付けられている。また、前記下球皿の右側部には、打球駆動部を駆動させて前記上球皿に貯留したパチンコ球を、前記遊技盤の遊技領域に向けて打出させる球打出操作用のハンドルユニットが設けられている。なお、中枠の裏側には、パチンコ球が通過する球通路や、球払出装置等が組み付けられた機構セット盤が配設されている。そして、前記遊技盤の裏側や機構セット盤には、パチンコ機に設けた各種電気部品に電気的に接続されて、所要の制御を行なう各種の制御装置が配設されている。
【０００３】
ところで、相互に電気的に接続する制御装置や電気部品が、パチンコ機の一方の端部側と他方の端部側とにある場合のように遠く離れた位置に配置されている場合には、これら制御装置と電気部品とを接続する配線は必然的に長くなってしまう。しかしながら、配線を長くすると配線途中に弛みが生じ易いため、パチンコ機のメンテナンスや製造に際して他の配線と絡み合ったり、作業時に配線を引っ掛けたりすると共に、中枠を閉成した際に、当該配線を外枠との間に挟み込む畏れがある。そこで、例えば中枠の裏側や機構セット盤等に中継基板を取付け、制御装置に接続した配線および電気部品に接続した配線の夫々を該中継基板に接続することにより、両部材を電気的に接続し、かつ１つの配線の長さ寸法を短くするようにしたパチンコ機も提案されている(例えば、特許文献１参照)。ここで、前記特許文献１では、機構セット盤に中継基板用の保持部を形成し、該保持部に保持した中継基板に、ランプ制御基板からの配線と、前枠のランプ基板からの配線を一旦接続するようになっている。
【０００４】
また、前記特許文献１には、前記機構セット盤に予め多数の保持部を形成し、該保持部を予備として設けることで、パチンコ機の仕様変更に伴い新たに中継基板を設ける必要が生じた場合であっても、該機構セット盤を交換(設計変更)することなく中継基板を増設し得る点についても開示されている。すなわち、パチンコ機を仕様変更することで、遠く離れた位置にある制御装置と電気部品とを接続する必要が新たに生じた場合でも、機構セット盤を交換することなく、両部材を中継接続する中継基板を予備として設けた保持部に保持し得る利点がある。ここで、パチンコ機の仕様変更として、例えば特許文献２に開示されるように、パチンコ機に配設した球打出操作用の前記ハンドルユニットを、振動発生手段を備えたハンドルユニットに変更することが挙げられる。この場合には、ハンドルユニットに新しく設けた前記振動発生手段と、該振動発生手段のＯＮ・ＯＦＦ制御を行なう制御装置等とを中継接続する中継基板が新たに必要になるが、前記特許文献１に記載された技術を利用することにより、この中継基板をパチンコ機に取付けることが可能である。
【特許文献１】特開２００１−３２１５２６号公報
【特許文献２】特開２００３−３２５７９２号公報
【発明の開示】
【発明が解決しようとする課題】
【０００５】
ところで、例えば特許文献２に記載されたハンドルユニットの振動発生手段と、制御装置とを接続する場合には、前記機構セット盤における振動発生手段の配設位置近傍に、中継基板用の保持部が形成されていれば、１つの配線の長さ寸法を短くできるから、前述した問題は解決される。しかしながら、パチンコ機の仕様変更により変更される部材としては、前記ハンドルユニットに限られるものではなく、遊技盤や上球皿、その他パチンコ機に設けられる各種部材が変更される可能性があり、その変更に伴って新たに電気部品が設けられることが考えられる。従って、何れの部材が変更された場合にも対応し得るよう変更される可能性がある部材毎に対応して保持部を形成する必要があり、仕様変更した際に利用しない保持部が多くなるため、無駄が多く、ひいてはコストの増大に繋がる欠点を内在している。
そこで、本発明は、遊技機に中継基板用の保持部を予め形成しておかなくても、新たに設ける必要が生じた中継基板を容易に取付け得る遊技機における中継基板の取付構造を提供することを目的とする。
【課題を解決するための手段】
【０００６】
前記課題を克服し、所期の目的を好適に達成するため、本発明に係る遊技機における中継基板の取付構造は、
夫々の電気部品(18,24,36,45)を接続する配線(18a,36a,47a,49)を相互に中継接続する中継基板(37,51)を備え、前記配線(18a)を所定位置で保持する配線留め(40,76,82)を設けた遊技機において、
前記中継基板(51)を保持可能で、所要部位に前記配線留め(40,76,82)と係合可能な係合部(59,74)を有する基板ホルダ(52,70,73,80)を設け、
前記係合部(59,74)を介して前記基板ホルダ(52,70,73,80)を前記配線留め(40,76,82)に装着することで、前記中継基板(51)を遊技機(10)に取付けるようにしたことを特徴とする。
【０００７】
また、前記係合部(59)を、弾性変形可能なフック状に形成して、前記基板ホルダ(52,70,80)を配線留め(40,76)に装着した際に、前記係合部(59)が露出した状態で配線留め(40,76)と係合し、該係合部(59)を弾性変形させることで係合を解除し得るようにしてもよい。
【０００８】
更に、前記配線留め(40,76)は、配線挿入用の開口部(43,79)を有し、前記基板ホルダ(52,70,80)は、前記開口部(43,79)に挿脱自在な挿入突部(60)を備え、
前記挿入突部(60)を前記開口部(43,79)に挿入したもとで、前記係合部(59)を配線留め(40,76)と係合させるようにすることもできる。
【０００９】
そして、前記基板ホルダ(52,70,73,80)に第２の配線留め(63)を設けることも可能である。
【発明の効果】
【００１０】
本発明の請求項１に係る遊技機における中継基板の取付構造によれば、遊技機に形成される既存の配線留めを利用して中継基板を保持可能な基板ホルダを装着するようにしたから、予め多数の中継基板用の保持部を遊技機に形成しなくても、中継基板を増設することが可能となる。すなわち、遊技機に予備としての保持部を形成する必要がないから、無駄を省きコストを抑制し得る利点がある。また、前記配線留めは、遊技機の様々な位置に配設された電気部品の配線を留めるため、一般に様々な部位に形成される。このため、遊技機の仕様変更に伴い中継基板を新たに取付ける必要が生じた場合であっても、適切な位置に形成されている配線留めを選択して基板ホルダを装着することが可能である。
【００１１】
また、請求項２に係る遊技機における中継基板の取付構造によれば、基板ホルダを配線留めに装着した際に、係合部が外側に露出するようにしたから、外側から係合部を操作して配線留めとの係合を解除することができ、基板ホルダを容易に着脱し得る。更に、請求項３に係る遊技機における中継基板の取付構造によれば、基板ホルダに挿入突部を形成し、該挿入突部を配線留めの配線挿入用の開口部に挿入するよう構成したから、この配線挿入用の開口部を有効利用して該基板ホルダを配線留めに強固に装着することができる。
【００１２】
そして、請求項４に係る遊技機における中継基板の取付構造によれば、基板ホルダに第２の配線留めを形成するようにしたから、該基板ホルダを配線留めに装着することにより留められなくなった配線を、該第２の配線留めに留めることができる。従って、もともと配線留めに留められていた配線に弛みが生じ、他の配線と絡み合ったり、作業時に配線を引っ掛けたりすることはなく、更に当該配線が挟み込まれるのも防止し得る。
【発明を実施するための最良の形態】
【００１３】
次に、本発明に係る遊技機における中継基板の取付構造につき、好適な実施例を挙げて、添付図面を参照しながら、以下詳細に説明する。なお実施例では、遊技機としてパチンコ球を遊技媒体として使用する一般的な第１種パチンコ機(以下、単にパチンコ機と云う)を例にして説明する。また、以下の説明において前・後および左・右とは、特に断りのない限り、図１に示すようにパチンコ機１０を前側から見た場合において指称するものとする。
【実施例】
【００１４】
(パチンコ機について)
先ず実施例に係るパチンコ機１０の概略構成について、図１または図２を参照して説明する。パチンコ機１０は、外郭をなす外枠１１の開口前面側に対して中枠１２が、パチンコ機１０の左側に位置する連結支持手段１４、および右側に位置する施錠手段１５を利用して着脱および開放可能に組み付けられている。また、前記中枠１２には、所要の遊技領域２６ａを構成した遊技盤２６(後述)が着脱交換可能に取付けられると共に、該中枠１２の前面側に、遊技盤２６を透視保護するガラス板を組み付けた前枠１３と、パチンコ球を貯留する上球皿１６とを横開き形態で開閉可能に組み付けてある。
【００１５】
また、前記中枠１２における上球皿１６の下方には、左右方向の略中央位置に、上球皿１６から溢れたパチンコ球を貯留し得る下球皿１７が配設されている。そして、前記中枠１２における下球皿１７の右側には、遊技者の操作に応じて図示しない打球発射装置を駆動して、前記上球皿１６に貯留したパチンコ球を前記遊技領域２６ａに向けて発射させるハンドルユニット１９が配設されると共に、該下球皿１７の左側には、吸殻等を受ける灰皿２０を配置してある。
【００１６】
前記中枠１２の裏側には、図２に示すように、中枠１２の外郭形状に略整合する矩形状に成形された機構セット盤２１が配設されており、該機構セット盤２１に、外部から供給されたパチンコ球が流下する球貯留排出経路２２や、該球貯留排出経路２２の下方に連通接続する球払出装置２３等が配設されている。すなわち、前記球払出装置２３の作動に伴い、前記球貯留排出経路２２に貯留されたパチンコ球を、前記上球皿１６や下球皿１７に貸球または賞球として給出するようになっている。なお、前記機構セット盤２１の上方位置には、前後に開口する窓口２１ａが開設されており、遊技盤２６の裏側における上方を保護する第１保護カバー３４および遊技盤２６の裏側における下方位置を保護する第２保護カバー３５の夫々が、該窓口２１ａを介して後方に臨んでいる。また、前記機構セット盤２１の下方には、パチンコ機１０を全体的に制御する主制御装置(電気部品)２４や、前記球払出装置２３を制御する払出制御装置２５等が設置されている。
【００１７】
(遊技盤について)
前記遊技盤２６は、前記中枠１２の上方位置に前後に開口するよう開設された遊技盤保持部(図示せず)に保持される。そして、図１に示すように、前記遊技盤２６の前面側に、略円形状に湾曲形成したレール２６ｂにより前記遊技領域２６ａが画成されて、該遊技領域２６ａの上方位置に、遊技盤２６の裏側に配設される図柄表示装置３２が臨む大型の装飾部品２７が配設されている。また、前記遊技領域２６ａにおける前記装飾部品２７の下方位置には、パチンコ球が通入可能な始動入賞具２８が配設され、該始動入賞具２８の下側に、前記図柄表示装置３２での遊技演出の結果により開放する大型電動式の入賞装置２９を配設してある。更に、前記遊技領域２６ａの所要位置には、パチンコ球の流下方向を任意に変向する案内車３０,３０や、図柄表示装置３２での遊技演出に応じて照射パターンを変更して発光演出を行なう電飾装置３１,３１等が配設されている。
【００１８】
なお、前記図柄表示装置３２の後方には、前記主制御装置２４に図示しない配線を介して接続されて、該主制御装置２４の制御に基づいて図柄表示装置３２での表示内容を制御する表示制御装置３３が配設されており、前記遊技盤２６の裏側に着脱および開閉自在に配設した前記第１保護カバー３４により、図柄表示装置３２および表示制御装置３３を覆蓋保護している。また、前記第１保護カバー３４の下方に位置する前記第２保護カバー３５の後方には、前記主制御装置２４に図示しない配線を介して接続されて、該主制御装置２４の制御に基づいて前記電飾装置３１,３１の発光、および後述するスピーカ(電気部品)１８,１８からの音の出力を制御する発光音声制御装置(電気部品)３６を配設してある。
【００１９】
前記中枠１２の下縁部を支持する前記外枠１１の下枠部１１ａには、左右方向に離間する位置に一対のスピーカ１８,１８が配置されており、配線１８ａ,１８ａ,３６ａを介して前記発光音声制御装置３６に接続するようになっている。ところで、前記スピーカ１８,１８は外枠１１に配設されるのに対し、前記発光音声制御装置３６は前記中枠１２に保持された遊技盤２６に配設されている。このため、前記スピーカ１８,１８に接続した配線１８ａ,１８ａは、図２または図３に示すように、前記中枠１２の開閉動作を阻害しないよう前記連結支持手段１４側まで延在させたもとで中枠１２側に導出し、この配線１８ａ,１８ａを中枠１２の下方位置に取付けた第１の中継基板(中継基板)３７に接続される。そして、前記第１の中継基板３７に前記発光音声制御装置３６に接続された配線３６ａを接続することで、スピーカ１８と発光音声制御装置３６とを電気的に接続するよう構成してある。
【００２０】
また、前記スピーカ１８,１８に接続した配線１８ａ,１８ａは、前記外枠１１の下枠部１１ａに形成された配線留め１１ｂ,１１ｂに保持されると共に、前記中枠１２の裏側における前記連結支持手段１４を配設した側部の下方位置に形成した配線留め４０に保持されて、該配線１８ａ,１８ａに弛みが生ずるのを防止している。このように、前記配線１８ａを第１の中継基板３７に接続すると共に、配線留め１１ｂ,４０に保持することで、パチンコ機１０のメンテナンスや製造に際して他の配線と絡み合ったり、作業時に配線１８ａを引っ掛けたり、更には中枠１２を閉成した際に配線１８ａを外枠１１との間に挟み込んだりするのを防いでいる。同様に、前記発光音声制御装置３６と第１の中継基板３７と接続する配線３６ａは、図２に示すように、機構セット盤２１における前記球払出装置２３および払出制御装置２５の近傍に、上下方向に離間して形成した３箇所の配線留め３８,３８,３８に保持されて、該配線３６ａに弛みが生じないようにしている。
【００２１】
なお、詳細に説明しないが、前記中枠１２や機構セット盤２１、その他の部材の所要位置には、前記スピーカ１８,１８の配線１８ａ,１８ａを保持する配線留め４０や、発光音声制御装置３６および第１の中継基板３７を接続する配線３６ａを保持する配線留め３８とは別に、各種形状・大きさに形成された配線留め３９,３９(図２には、機構セット盤２１に設けた前記球貯留排出経路２２の近傍に、上下方向に離間して形成した配線留めを図示してある)が複数箇所に形成されており、これら配線留め３９に、前記主制御装置２４と別の制御装置２５,３３,３６または、各種制御装置２４,２５,３３,３６と各種部品２３,２９,３１,３２とを接続する配線(図示せず)を保持して、配線に弛みがある場合に生ずる前述した不具合を防止している。なお、以下の説明において、前記中枠１２に形成されてスピーカ１８,１８の配線１８ａ,１８ａを保持する配線留め４０を、便宜的に第１の配線留めと云う。また、実施例においては、スピーカ１８、球払出装置２３、主制御装置２４、払出制御装置２５、入賞装置２９、電飾装置３１、図柄表示装置３２、表示制御装置３３、発光音声制御装置３６が電気部品に含まれる。
【００２２】
なお、前記第１の配線留め４０は、所定間隔離間してパチンコ機１０の後方に向けて略平行に突出する一対の第１の支持片４１,４１と、各第１の支持片４１,４１の後端部から対向する第１の支持片４１側に向けて中枠１２と略平行に延在する一対の第１の保持片４２,４２とから構成される(図６参照)。すなわち、前記各第１の保持片４２,４２と中枠１２または機構セット盤２１との間に、左右方向に開口する第１の開口部(開口部)４３が形成されて、該第１の開口部４３に配線１８ａ,１８ａを挿通することで、該配線１８ａ,１８ａを所定位置に保持している。
【００２３】
(仕様変更に伴う中継基板の取付けについて)
ここで、前記パチンコ機１０は、前記主制御装置２４からの信号に基づいて、前記図柄表示装置３２において所定パターンで図柄を可変表示させるようになっている。そこで、前記主制御装置２４および遊技盤２６(遊技盤２６の裏側に配設された図柄表示装置３２や表示制御装置３３を含む)を交換してパチンコ機１０の遊技性を変更する、所謂機種変更に際して、図４に示すように、前記灰皿２０を、接触検出装置(電気部品)４５を備えた灰皿４４に仕様変更する場合について説明する。すなわち、新たに配設される主制御装置２４と接触検出装置４５とを配線を介して電気的に接続して、遊技者が接触検出装置４５に触れることで図柄表示装置３２で可変表示されている図柄を瞬時に停止させ得るよう構成し、遊技者参加型の遊技演出を行ない得るようにする。
【００２４】
前記灰皿４４に配設される前記接触検出装置４５は、図４に示すように、該灰皿４４の下面に設けられて遊技者の手指が接触可能な接触部４６と、灰皿４４に内蔵されて接触部４６への遊技者の手指の接触を検出する検出部４７とから構成されている。そして、前記検出部４７に接続した配線４７ａを、図５に示すように、前記中枠１２における連結支持手段１４を形成した側部の下方位置、すなわち前記灰皿４４と前後に整列する位置に穿設した通孔４８を介して中枠１２の裏側に引き出し、この配線４７ａを前記第１の配線留め４０に装着された基板ホルダ５２(後述)に保持した第２の中継基板(中継基板)５１に接続してある。なお、前述したように、前記中枠１２に設けた前記第１の配線留め４０を、連結支持手段１４を形成した側部の下方位置に形成してあるから、前記通孔４８の近傍に該第１の配線留め４０が位置している。
【００２５】
ここで、前記第２の中継基板５１は、図６または図８に示すように、同一面側(表面側)に２つのコネクタ受部５１ａ,５１ｂを備えており、一方のコネクタ受部５１ａには前記検出部４７に接続した配線４７ａの端部に設けたコネクタ４７ｂが着脱自在に接続されると共に、他方のコネクタ受部５１ｂには前記主制御装置２４に接続された配線４９が着脱自在に接続されている。すなわち、前記第２の中継基板５１を介して、前記主制御装置２４と検出部４７とが電気的に接続され、該検出部４７からの信号に基づいて主制御装置２４から表示制御装置３３に所定の信号を送信して、図柄表示装置３２で可変表示されている図柄を瞬時に停止させるようになっている。
【００２６】
(基板ホルダについて)
次に、前記基板ホルダ５２の構成について説明するが、前・後および左・右とは、図５に示すように、基板ホルダ５２を前記第１の配線留め４０に装着した状態で指称する。前記基板ホルダ５２は、図６〜図９に示すように、前記第２の中継基板５１を保持する基板保持部５３と、前記第１の配線留め４０に係脱自在に係合する第１の係合部(係合部)５９,５９と、該第１の配線留め４０の第１の開口部４３に挿脱自在に挿入される挿入突部６０と、基板保持部５３の右側に形成されて配線１８ａを保持する第２の配線留め６３とを備えている。ここで、前記基板保持部５３は、前記中枠１２に対して略平行に形成された平板部５４と、該平板部５４の外周から前方に向けて突出する立上がり片５５と、該平板部５４の右側に形成される押え部５６と、平板部５４の左側に弾性変形可能に形成されるフック状の第２の係合部５７とからなり、第２の中継基板５１の裏面(すなわちコネクタ受部５１ａ,５１ｂを配置していない面)を、該立上がり片５５の端面に当接させた状態で、押え部５６および第２の係合部５７により保持するようになっている。
【００２７】
図８に示すように、前記押え部５６は、前記平板部５４の上下方向の略中央位置において前方に向けて突出する突出片５６ａ、および突出片５６ａの前端部から左方向に向けて前記平板部５４と略平行に延在する規制片５６ｂから略Ｌ字状に形成される。また、前記第２の係合部５７は、前記平板部５４の上下方向の略中央位置において、前記立上がり片５５の端面より前方まで延在しており、その前端部には右方向に向けて突出する爪部５７ａが形成されている。ここで、前記押え部５６の規制片５６ｂおよび第２の係合部５７における爪部５７ａの夫々は、前記立上がり片５５の端面に当接させた第２の中継基板５１の表面側に当接すると共に、該押え部５６の突出片５６ａと第２の係合部５７との離間寸法が、前記第２の中継基板５１の左右方向の幅寸法に略合致するよう構成してある。また、図７に示すように、前記立上がり片５５における前記平板部５４の上方に位置する部位には、前記第２の中継基板５１の上端縁に当接する上位置決め片６１が形成されると共に、該立上がり片５５における平板部５４の下方に位置する部位には、第２の中継基板５１の下端縁に当接する下位置決め片６２,６２が形成され、前記基板保持部５３に保持した第２の中継基板５１の上下移動を規制するようになっている。
【００２８】
すなわち、前記第２の中継基板５１は、前記規制片５６ｂおよび爪部５７ａにより前方移動が規制され、前記突出片５６ａと第２の係合部５７および上下の位置決め片６１,６２,６２により上下および左右方向の移動が規制されて、前記基板保持部５３の所定位置に保持される。なお、前記第２の中継基板５１の基板保持部５３への取付け方法としては、該第２の中継基板５１の右側部を、前記立上がり片５５と突出片５６ａとの間に挿入すると共に、第２の中継基板５１の左側部を前記爪部５７ａに当接させ、第２の中継基板５１の左側部を平板部５４側に変位させて第２の係合部５７を弾性変形させて、第２の中継基板５１の裏面を前記立上がり片５５の端面に当接させることで取付けられる。反対に、前記第２の中継基板５１を取外すに際しては、前記第２の係合部５７を弾性変形させて爪部５７ａと第２の中継基板５１との係合を解除したもとで、該第２の中継基板５１を前方に引き出せばよい。
【００２９】
また、前記平板部５４には、前記中枠１２側(後方)に突出して中枠１２に当接する支持台５８が形成されており、該支持台５８の上下端部に、左方向に向けて延在するよう前記第１の係合部５９,５９が夫々形成されている。なお、上下に位置する第１の係合部５９,５９の左端部における相互に対向する面側に、爪部５９ａ,５９ａを形成してある。ここで、前記上下に位置する第１の係合部５９,５９の離間寸法は、前記第１の配線留め４０における第１の支持片４１,４１の外側に当接するよう設定される(図９参照)。すなわち、上側に位置する第１の係合部５９は、上側に位置する第１の支持片４１の上面側に当接し、下側に位置する第１の係合部５９は、下側に位置する第１の支持片の下面側に当接する。また、前記支持台５８と各爪部５９ａとの離間寸法は、第１の支持片４１,４１の左右方向の幅寸法に略合致するよう設定してある(図７参照)。
【００３０】
従って、前記基板ホルダ５２を第１の配線留め４０に装着した状態では、前記第１の係合部５９,５９および爪部５９ａ,５９ａの夫々が前記第１の支持片４１,４１の外側に露出するようになっている。そして、第１の係合部５９,５９が第１の支持片４１,４１に当接することで、前記基板ホルダ５２の上下方向の移動が規制され、前記支持台５８および第１の係合部５９,５９の爪部５９ａ,５９ａが第１の支持片４１,４１に当接することにより、該基板ホルダ５２の左右方向の移動が規制される。なお、前記上側に位置する第１の係合部５９には、前記爪部５９ａの形成位置近傍に、後方に向けて突出する規制部５９ｂが形成されており、前記基板ホルダ５２を第１の配線留め４０に対して右方向からのみ装着し得るようにしている。すなわち、第１の配線留め４０に対して基板ホルダ５２を左側から移動した際には、前記規制部５９ｂが第１の配線留め４０の近傍に形成されている突状部１２ａ(図６参照)に接触して、基板ホルダ５２の第１の配線留め４０への装着は規制され、一方第１の配線留め４０に対して基板ホルダ５２を右側から移動した際には、規制部５９ｂが突状部１２ａに接触することなく、基板ホルダ５２の第１の配線留め４０への装着を許容するよう構成してある。
【００３１】
更に、前記支持台５８における中枠１２に近接する位置には、前記平板部５４と略平行に左方向に向けて延在し、前記第１の配線留め４０の第１の開口部４３に挿脱自在な挿入突部６０が形成される。ここで、前記挿入突部６０と前記平板部５４との離間寸法は、前記第１の配線留め４０における第１の保持片４２,４２の前後方向の厚み寸法に略合致するよう設定してある。すなわち、前記基板ホルダ５２は、前記平板部５４と挿入突部６０との間に、前記第１の保持片４２,４２を挟み込むよう固定され、該挿入突部６０が第１の保持片４２,４２に当接することで前方への移動を規制して、該基板ホルダ５２が第１の配線留め４０から脱落しないようになっている。
【００３２】
また、図６〜図９に示すように、前記第２の配線留め６３は、前記平板部５４の上下の端部に位置し、該平板部５４より前方まで延在する一対の第２の支持片６４,６４と、該第２の支持片６４,６４の前端部に形成されて、相互に対向する面側に向けて延出する第２の保持片６５,６５とから構成される。すなわち、前記第２の配線留め６３は、前記第２の保持片６５,６５と平板部５４との間に第２の開口部６６が開口し、この第２の開口部６６に、前記スピーカ１８,１８からの配線１８ａ１８ａを挿通して保持している(図５参照)。すなわち、前記第２の配線留め６３は、前記基板ホルダ５２を装着することで、前記第１の配線留め４０に保持し得なくなった配線１８ａ,１８ａを保持するよう機能する。なお、第１の配線留め４０に基板ホルダ５２を装着した際に、前記第２の配線留め６３の後端部６３ａが前記中枠１２に当接するよう構成されて、該基板ホルダ５２の後方移動を規制している。
【００３３】
〔実施例の作用〕
次に、前述した実施例に係る遊技機における中継基板の取付構造の作用につき説明する。
【００３４】
前記パチンコ機１０を仕様変更するに際して、前記灰皿４４に配設された接触検出装置４５の検出部４７を、前記主制御装置２４に接続する必要がある。このとき、前記中枠１２に設けた第１の配線留め４０に、第２の中継基板５１を保持した基板ホルダ５２を装着し、該第２の中継基板５１のコネクタ受部５１ａに、前記検出部４７に接続した配線４７ａのコネクタ４７ｂを接続すると共に、該第２の中継基板５１のコネクタ受部５１ｂに主制御装置２４に接続した配線４９を接続することで、検出部４７と主制御装置２４とを電気的に接続している。
【００３５】
このように、パチンコ機１０(中枠１２)に形成されている既存の第１の配線留め４０を利用して、前記第２の中継基板５１を保持した基板ホルダ５２を装着するようにしたことで、従来のようにパチンコ機１０に予め多数の中継基板用の保持部を形成しなくても、該第２の中継基板５１を増設することが可能となる。すなわち、第２の中継基板５１を増設し得るようパチンコ機１０に予備の保持部を形成したり、中枠１２や機構セット盤２１を設計変更して第２の中継基板５１の保持部を形成する必要がないから、無駄を省きコストを抑制し得る利点がある。
【００３６】
また、前記検出部４７は、前記灰皿４４に内蔵されてパチンコ機１０の表側に位置するのに対し、前記主制御装置２４はパチンコ機１０の裏側に位置している。このため、前記検出部４７に接続した配線４７ａを前記主制御装置２４に直接接続する場合には、該配線４７ａを非常に長尺に形成すると共に、この長尺な配線４７ａをパチンコ機１０の表側から前記中枠１２に形成した通孔４８に挿通して中枠１２の裏側に引き出したもとで、主制御装置２４に接続する必要があるため、作業が煩雑になって作業効率の低下を招いてしまう。更に、前記検出部４７に接続された配線４７ａを長尺に形成すると、灰皿４４の保管や運搬等に際しても、他の部材の配線等と絡まったりすることから、該灰皿４４の取り扱いも不便となる。そこで、実施例のように、前記検出部４７の配線４７ａおよび主制御装置２４の配線４９の夫々を、前記基板ホルダ５２に保持した第２の中継基板５１に接続することで、１つの配線４７ａ,４９の長さ寸法を短くし得るから、容易に配線４７ａ,４９の取回すことができ、作業性が向上する。更に、前記検出部４７に接続される配線４７ａが短くなるため、灰皿４４の取り扱いも容易になる利点がある。
【００３７】
また、前記第１の配線留め４０に基板ホルダ５２を装着することにより、該第１の配線留め４０には、仕様変更前に保持していたスピーカ１８,１８からの配線１８ａ,１８ａを保持し得なくなることから、該配線１８ａ,１８ａに弛みが生ずる畏れがある。そこで、実施例では、前記基板ホルダ５２に第２の配線留め６３を形成し、該第２の配線留め６３に、スピーカ１８,１８からの配線１８ａ,１８ａを保持し得るよう構成したから、該配線１８ａ,１８ａに弛みが生ずるのは防止し得る。このように、前記基板ホルダ５２に形成した第２の配線留め６３に、もともと第１配線留め４０に保持していたスピーカ１８の配線１８ａを保持するようにしたから、パチンコ機１０のメンテナンスや製造に際して該配線１８ａが他の配線と絡み合ったり、作業時に引っ掛けたり、更には中枠１２を閉成した際に外枠１１との間に挟み込んだりすることはない。
【００３８】
次に、前記基板ホルダ５２の前記第１の配線留め４０に対する取付け方法について説明する。前記基板ホルダ５２に設けた前記第１の係合部５９,５９の爪部５９ａ,５９ａを、前記第１の配線留め４０における第１の支持片４１,４１の右側に当接した状態で、該基板ホルダ５２を左方向にスライドさせる。このとき、前記第１の係合部５９,５９の夫々が、前記第１の支持片４１,４１から離間する方向に弾性変形すると共に、前基板ホルダ５２に形成した前記挿入突部６０が、第１の配線留め４０の第１の開口部４３に挿入される。そして、前記基板ホルダ５２を更にスライドさせて、前記第１の係合部５９,５９の爪部５９ａ,５９ａが第１の支持片４１,４１の左側に臨むと、該第１の係合部５９,５９が弾性復帰してこの第１の支持片４１,４１に外側から係合する。
【００３９】
ここで、前記基板ホルダ５２を第１の配線留め４０に装着した状態では、前記第１の係合部５９,５９の間に第１の支持片４１,４１が位置し、該第１の係合部５９,５９と第１の支持片４１,４１とが当接すると共に、基板ホルダ５２の支持台５８の左面および前記爪部５９ａ,５９ａにおける右面の夫々が第１の支持片４１に当接するように構成してあるから、基板ホルダ５２の上下および左右方向の移動は規制される。更に、第１の配線留め４０の第１の開口部４３を利用して、該第１の開口部４３に前記挿入突部６０を挿入し、前記基板ホルダ５２の中枠１２から離間する方向への移動を規制しているから、該基板ホルダ５２が第１の配線留め４０から脱落するのを確実に防止し得ると共に、第１の配線留め４０に基板ホルダ５２を強固に装着することができる。
【００４０】
また、前記第１の配線留め４０に基板ホルダ５２を装着した際に、前記第１の係合部５９,５９(爪部５９ａ,５９ａ)の夫々が前記第１の支持片４１,４１の外側に露出するようになっている。従って、前記第１の配線留め４０から基板ホルダ５２を取外すに際して、第１の係合部５９,５９を外部から容易に弾性変形させ、該第１の係合部５９,５９(爪部５９ａ,５９ａ)と第１の支持片４１,４１との係合を解除することができ、基板ホルダ５２を容易に取外すことができる。このように、工具等を使用することなく前記基板ホルダ５２を第１の配線留め４０に着脱することができるから、仕様変更に伴う基板ホルダ５２の着脱作業を短時間で行なうことができる。
【００４１】
〔変更例〕
なお、本発明に係る遊技機における中継基板の取付構造としては、前述した実施例のものに限られるものではなく、種々の変更が可能である。例えば、基板ホルダの形状・大きさとしては、中継基板を保持する保持部と、配線留めに係合して基板ホルダを配線留めに装着可能な係合部とを備えるものであれば、保持する中継基板や装着する配線留めの大きさや形状に合わせて適宜変更することができる。従って、遊技機に形成された配線留めに関しては、実施例のものに限られず、従来公知の何れの形状および大きさのものであってもよい。また、実施例では、基板ホルダを配線留めから取外し得るよう構成したが、少なくとも配線留めに装着し得るよう形成すればよい。そこで、以下に基板ホルダおよび配線留めの変更例について図１０〜図１３を参照して説明するが、これらに限定されるものではないことは当然である。なお、図１０〜図１３において、実施例と同一の機能を有する部材については、同一の符号を付して詳細な説明は省略してある。
【００４２】
配線留めに装着する基板ホルダの例としては、図１０に示すように、基板ホルダ７０における支持台５８に形成した挿入突部６０の左端部に、中枠１２から離間する方向に突出する爪部７１を形成する。そして、この挿入突部６０を第１の配線留め４０における第１の開口部４３に挿入して、該爪部７１が第１の配線留め４０における第１の保持片４２,４２に係合するようにしても、実施例と同様の作用効果を得られる。この場合は、前記挿入突部６０が第１の配線留め４０と係合可能な係合部として機能する。
【００４３】
また、図１１に示すように、基板ホルダ７３における平板部５４の中枠１２との対向面に、左右方向に離間する位置に該中枠１２に向けて突出する一対の第３の係合部(係合部)７４,７４を弾性変形可能に形成すると共に、第３の係合部７４,７４における中枠１２に近接する端部に、相互に対向する面側に向けて突出する爪部７４ａ,７４ａを形成する。そして、前記両第３の係合部７４,７４の爪部７４ａ,７４ａを前記第１の保持片４２,４２に当接させたもとで、基板ホルダ７３を中枠１２側に移動させて、爪部７４ａ,７４ａと第１の保持片４２,４２とを係合させることで、前記基板ホルダ７３を第１の配線留め４０に装着させることも可能である。なお、前記両第３の係合部７４,７４の離間寸法を、前記第１の配線留め４０における第１の保持片４２,４２の左右方向の幅寸法に略合致すると共に、前記平板部５４と爪部７４ａ,７４ａとの離間寸法を、該第１の保持片４２,４２の厚み寸法に略合致するよう設定することで、基板ホルダ７３を確実に装着し得る。
【００４４】
配線留めの例として、図１２に示すように、中枠１２の所要位置に形成される支持片７７と、該支持片７７の端部から中枠１２と平行に形成される保持片７８と、該保持片７８の端部に形成された爪部７８ａとからなり、該中枠１２と保持片７８との間に配線挿入用の開口部７９を設けた配線留め７６がある。この配線留め７６に装着する基板ホルダ８０の構成は、実施例における基板ホルダ５２と基本的に同一で、前記支持片７７と係合可能な第１の係合部５９を１つだけ設けると共に、前記開口部７９に挿入可能な挿入突部６０を形成する。すなわち、前記挿入突部６０を前記開口部７９に挿入した状態で、前記第１の係合部５９を前記支持片７７と係合させることで、基板ホルダ８０を配線留め７６に装着することができる。この場合には、前記開口部７９に挿入した前記挿入突部６０が前記支持片７７に当接するよう設定し、該支持片７７を挿入突部６０と第１の係合部５９とで挟持するようにすれば、配線留め７６に装着した基板ホルダ８０が、上下方向と左右方向および中枠１２から離間する方向へ移動するのは規制される。
【００４５】
また、図１３に示すように、中枠１２に凹部８３を形成すると共に、該凹部８３の開口部に、中枠１２と略平行に突出する突出片８４を形成して配線留め８２を設け、当該凹部８３と突出片８４との間の隙間８５を、配線挿入用の開口部として機能するようにしたものもある。この場合には、前述した第３の係合部７４,７４を備えた基板ホルダ７３を、前記配線留め８２に装着することが可能である。このとき、前記第３の係合部７４,７４の上下方向の幅寸法を、前記凹部８３の上下方向の開口寸法と略合致するよう設定すれば、配線留め８２に装着した基板ホルダ７３が、上下方向と左右方向および中枠１２から離間する方向へ移動するのを規制し得る。
【００４６】
また、遊技機の仕様変更としては、実施例のように灰皿を交換して電気部品を配設する場合に限られず、電飾装置やスピーカ等の電気部品を有する前枠や上球皿あるいは下球皿に交換する場合でもよく、その他の各種構成部材を、新たに電気部品を有する部材に交換する場合であっても、本発明に係る遊技機における中継基板の取付構造を好適に採用し得る。つまり、一般に遊技機には様々な位置に多数の電気部品が配設されると共に、これら電気部品に接続した配線が通される部位には、この配線を所定位置に保持する配線留めが形成される。すなわち、遊技機における様々な部位に、前記配線留めが形成されている。従って、遊技機の仕様変更に伴い中継基板を新たに取付ける必要が生じた場合であっても、適切な位置に形成されている配線留めを選択して基板ホルダを装着するようにすれば、実施例と同様の作用効果が得られる。なお、実施例では、遊技機としてパチンコ機を採用したが、アレンジボール機やスロットマシン機等であってもよく、夫々の電気部品に接続する配線を相互に中継接続する中継基板を備え、配線を所定位置で保持する配線留めを設けたものであれば、何れの遊技機も採用し得る。
【図面の簡単な説明】
【００４７】
【図１】本発明の実施例に係るパチンコ機を示す正面図である。
【図２】仕様変更前のパチンコ機を示す背面図である。
【図３】配線を保持した第１の配線留めを示す要部拡大図である。
【図４】仕様変更に係る灰皿の底面を示す斜視図である。
【図５】仕様変更して第１の配線留めに基板ホルダを装着したパチンコ機を示す要部拡大図である。
【図６】第１の配線留めと基板ホルダとを示す分解斜視図である。
【図７】実施例に係る基板ホルダを示す正面図である。
【図８】実施例に係る基板ホルダを示す横断面図である。
【図９】実施例に係る第１の配線留めに、基板ホルダを装着した状態を示す側面図である。
【図１０】変更例に係る基板ホルダを第１の配線留めに装着した状態を示す断面図である。
【図１１】(a)は、変更例に係る基板ホルダを第１の配線留めに装着する状態を示す底面図であって、(b)は、基板ホルダを第１の配線留めに装着した状態を示す側面図である。
【図１２】変更例に係る配線留めと基板ホルダを示す側面図である。
【図１３】(a)は、変更例に係る配線留めを示す斜視図であって、(b)は、(a)に示す配線留めに基板ホルダを装着した状態を示す側面図である。
【符号の説明】
【００４８】
１０  パチンコ機(遊技機)
１８  スピーカ(電気部品)
１８ａ  配線
３６  発光音声制御装置(電気部品)
３６ａ  配線
３７  第１の中継基板(中継基板)
２４  主制御装置(電気部品)
４０  第１の配線留め(配線留め)
４３  第１の開口部(開口部)
４５  接触検出装置(電気部品)
４７ａ  配線
４９  配線
５１  第２の中継基板(中継基板)
５２  基板ホルダ
５９  第１の係合部(係合部)
６０  挿入突部
６３  第２の配線留め
７０  基板ホルダ
７３  基板ホルダ
７４  第３の係合部(係合部)
７６  配線留め
７９  開口部
８０  基板ホルダ
８２  配線留め
８５  開口部
【図１】
2005224533.tif 000003
【図２】
2005224533.tif 000004
【図３】
2005224533.tif 000005
【図４】
2005224533.tif 000006
【図５】
2005224533.tif 000007
【図６】
2005224533.tif 000008
【図７】
2005224533.tif 000009
【図８】
2005224533.tif 000010
【図９】
2005224533.tif 000011
【図１０】
2005224533.tif 000012
【図１１】
2005224533.tif 000013
【図１２】
2005224533.tif 000014
【図１３】
2005224533.tif 000015